(57)【要約】  本発明は、洗剤の投入制御方法、洗濯機及びシステムを提供する。前記方法は、衣類重量検出装置により現時点での衣類荷重を取得するとともに、洗剤成分検出装置により洗剤成分を検出して洗剤検出データを取得するＳ１と、洗剤検出データを分析し、洗剤検出データに対応する洗剤種別を取得するＳ２と、洗剤種別と衣類荷重に基づき、洗剤投入量を推薦するＳ３と、洗濯機が洗剤投入装置による投入を制御するＳ４と、を含む。本発明は、洗剤成分検出装置により洗剤を識別するとともに、洗濯待ちの衣類を自動的に計量し、識別結果と衣類荷重とに基づき最適な洗剤投入量を推薦して、洗剤投入装置による投入を制御する。これによれば、洗剤の的確な投入が実現されるため、洗濯機による衣類の洗浄・すすぎ効果が向上し、投入量の不足や過剰といった事態が回避される。【選択図】図１
2018538087.tif 000002
【特許請求の範囲】
【請求項１】
衣類重量検出装置により現時点での衣類荷重を取得するとともに、洗剤成分検出装置により洗剤成分を検出して洗剤検出データを取得するＳ１と、
洗剤検出データを分析し、洗剤検出データに対応する洗剤種別を取得するＳ２と、
洗剤種別と衣類荷重に基づき、洗剤投入量を推薦するＳ３と、
洗濯機が洗剤投入装置による投入を制御するＳ４と、を含むことを特徴とする洗剤の投入制御方法。
【請求項２】
前記ステップＳ１では、更に、衣類材質識別装置により衣類の素材成分を走査して衣類識別データを取得し、
ステップＳ２では、更に、衣類識別データを分析し、衣類識別データに対応する衣類成分情報を取得し、
ステップＳ３では、更に、洗剤種別、衣類成分情報及び衣類荷重に基づいて洗剤投入量を推薦することを特徴とする請求項１に記載の洗剤の投入制御方法。
【請求項３】
洗剤検出データと洗剤種別は対応しており、その対応関係が洗濯機及び／又はクラウドに蓄積されており、
洗剤種別、衣類荷重及び洗剤投入量は対応しており、その対応関係が洗濯機及び／又はクラウドに蓄積されていることを特徴とする請求項１又は２に記載の洗剤の投入制御方法。
【請求項４】
衣類識別データと衣類成分情報は対応しており、その対応関係が洗濯機及び／又はクラウドに記憶されており、
衣類成分情報、洗剤種別、衣類荷重及び洗剤投入量は対応しており、その対応関係が洗濯機及び／又はクラウドに蓄積されていることを特徴とする請求項２に記載の洗剤の投入制御方法。
【請求項５】
前記ステップＳ３では、洗濯機が、ローカルに蓄積されているオフラインデータテーブルに基づいて洗剤投入量を推薦するか、或いは、
クラウドが、ビッグデータを利用して洗剤投入量を推薦することを特徴とする請求項１又は２に記載の洗剤の投入制御方法。
【請求項６】
前記洗剤成分検出装置は、小型スペクトラムアナライザであることを特徴とする請求項１に記載の洗剤の投入制御方法。
【請求項７】
請求項１〜６のいずれかに記載の方法を用いる洗濯機において、
洗剤成分を検出して洗剤検出データを取得する洗剤成分検出装置と、
洗濯機に投入された衣類を自動的に計量し、衣類荷重を取得する衣類重量検出装置と、
衣類荷重についての信号と洗剤成分の検出についての信号を受け付け、受け付けた信号に基づいて洗剤投入量を推薦するとともに、洗剤投入装置による投入を制御する制御装置と、
制御装置が指示する投入量に基づいて洗剤の投入を実行する洗剤投入装置、を含むことを特徴とする洗濯機。
【請求項８】
更に、衣類の素材成分を検出して衣類識別データを取得する衣類材質識別装置を含むことを特徴とする請求項７に記載の洗濯機。
【請求項９】
前記洗剤成分検出装置は、洗濯機の洗剤ケース内に装着されて、洗剤ケースと一体的に設けられ、
洗剤成分検出装置は、プローブが洗剤に接触するとともに、電源コネクタが洗濯機の主電源に接続されることを特徴とする請求項７に記載の洗濯機。
【請求項１０】
請求項１〜６のいずれかに記載の方法を用いるシステムにおいて、
洗剤検出データ、衣類識別データ、衣類荷重を取得し、クラウドサーバにアップロードして分析する洗濯機と、
洗濯機からアップロードされたデータ情報を受け付けて分析した後、洗剤投入量を推薦するとともに、洗濯機に送信して洗剤投入を実行させるクラウドサーバ、を含むことを特徴とするシステム。
【発明の詳細な説明】
【技術分野】
【０００１】
本発明は、洗濯機の洗浄分野に関し、特に、洗剤の投入制御方法、洗濯機及びシステムに関する。
【背景技術】
【０００２】
洗濯機で衣類を洗浄する際には洗剤を加える必要があるが、目下のところ洗剤を加える方法としては２種類存在する。一つは、手動で加える方法である。そして、もう一つは、洗濯機に洗剤投入装置を設けて予め洗剤ケースの中に洗剤を入れておき、洗濯機が洗浄を実行する際に洗剤投入装置が自動的に洗剤を投入するよう制御する方法である。
【０００３】
しかし、ユーザが洗浄する衣類の量は毎回異なり、洗浄する衣類もまた同一ではない。最適な洗浄効果を得たいのであれば、衣類の重量や材質の違いに応じて洗剤の投入量を変える必要がある。ところが、現在市販されている洗剤の種類は多岐にわたり、同じ重量、同様の材質の衣類であっても、洗剤の種類が異なれば投入量も違ってくる。そのため、洗剤の投入量を如何に明確にするかが衣類の洗浄効果にとっては重要な要素となる。
【０００４】
特許文献１は、洗濯機の制御方法について開示している。この方法では、サーバに洗剤使用情報データベースが蓄積されており、クライアント上で洗剤種類リストに対し選択操作を実施するとともに、サーバに対し検索・演算を行うことで、洗剤投入量を取得し、且つ、洗濯機による洗剤の自動投入と同期させる。この場合、サーバのビッグデータに衣類の種類が蓄積されているため、洗剤の種類が不足するとの問題については解決される。しかし、本当の意味で洗剤を的確に検出してから投入するまでの一連のフローについては実現不可能である。
【０００５】
特許文献２は、ＲＦＩＤタグによって洗剤の種類情報を記録することで、洗濯機に投入する洗剤の種別を効果的且つ正確に決定可能な洗濯装置及びその制御方法について開示している。しかし、データ量に限界があるため洗剤の全種類について的確な投入を実現することは不可能である。且つ、洗濯機自身の蓄積量にも限界があり、ＲＦＩＤタグの使用範囲が更に制約されてしまう。
【０００６】
上述した洗剤の自動投入方式はいずれも大まかに洗剤の投入量を計算するものであって、洗濯機に対する本当の意味での的確な投入は実現できない。そのため、洗剤の種類が異なると投入量の不足や過剰といった事態が生じやすく、最終的には衣類の洗浄・すすぎ効果に一定の影響が出てしまう。
【０００７】
以上に鑑みて、本発明を提案する。
【先行技術文献】
【特許文献】
【０００８】
【特許文献１】中国特許出願第２０１３１０１８２２８４．６号
【特許文献２】中国特許出願第２００８１０１２２７８３．５号
【発明の概要】
【発明が解決しようとする課題】
【０００９】
本発明は、従来技術の瑕疵を解消するものであって、洗剤成分検出装置により洗剤を識別するとともに、洗濯待ちの衣類を自動的に計量し、識別結果と衣類荷重とに基づき最適な洗剤投入量を推薦して、洗剤投入装置による投入を制御する洗剤の投入制御方法を提供することを解決すべき技術的課題とする。これによれば、洗剤の的確な投入が実現されるため、洗濯機による衣類の洗浄・すすぎ効果が向上し、投入量の不足や過剰といった事態が回避される。
【００１０】
また、本発明は、上記の方法を用いる洗濯機を提供することを他の目的とする。
【００１１】
また、本発明は、上記の方法を用いるシステムを提供することを更なる目的とする。
【課題を解決するための手段】
【００１２】
本発明は、技術的課題を解決するために以下の技術方案を採用する。
【００１３】
本発明は、衣類重量検出装置により現時点での衣類荷重を取得するとともに、洗剤成分検出装置により洗剤成分を検出して洗剤検出データを取得するＳ１と、洗剤検出データを分析し、洗剤検出データに対応する洗剤種別を取得するＳ２と、洗剤種別と衣類荷重に基づき、洗剤投入量を推薦するＳ３と、洗濯機が洗剤投入装置による投入を制御するＳ４と、を含む洗剤の投入制御方法を提供する。
【００１４】
更に、前記ステップＳ１では、更に、衣類材質識別装置により衣類の素材成分を走査して衣類識別データを取得し、ステップＳ２では、更に、衣類識別データを分析し、衣類識別データに対応する衣類成分情報を取得し、ステップＳ３では、更に、洗剤種別、衣類成分情報及び衣類荷重に基づいて洗剤投入量を推薦する。
【００１５】
更に、洗剤検出データと洗剤種別は対応しており、その対応関係が洗濯機及び／又はクラウドに蓄積されており、洗剤種別、衣類荷重及び洗剤投入量は対応しており、その対応関係が洗濯機及び／又はクラウドに蓄積されている。
【００１６】
更に、衣類識別データと衣類成分情報は対応しており、その対応関係が洗濯機及び／又はクラウドに記憶されており、衣類成分情報、洗剤種別、衣類荷重及び洗剤投入量は対応しており、その対応関係が洗濯機及び／又はクラウドに蓄積されている。
【００１７】
更に、前記ステップＳ３では、洗濯機が、ローカルに蓄積されているオフラインデータテーブルに基づいて洗剤投入量を推薦するか、或いは、クラウドが、ビッグデータを利用して洗剤投入量を推薦する。
【００１８】
更に、前記洗剤成分検出装置は、小型スペクトラムアナライザである。
【００１９】
更に、本発明は上記の方法を用いる洗濯機を提供する。前記洗濯機は、洗剤成分を検出して洗剤検出データを取得する洗剤成分検出装置と、洗濯機に投入された衣類を自動的に計量し、衣類荷重を取得する衣類重量検出装置と、衣類荷重についての信号と洗剤成分の検出についての信号を受け付け、受け付けた信号に基づいて洗剤投入量を推薦するとともに、洗剤投入装置による投入を制御する制御装置と、制御装置が指示する投入量に基づいて洗剤の投入を実行する洗剤投入装置、を含む。
【００２０】
更に、前記洗濯機は、衣類の素材成分を検出して衣類識別データを取得する衣類材質識別装置を含む。
【００２１】
更に、前記洗剤成分検出装置は、洗濯機の洗剤ケース内に装着されて、洗剤ケースと一体的に設けられ、洗剤成分検出装置は、プローブが洗剤に接触するとともに、電源コネクタが洗濯機の主電源に接続される。
【００２２】
更に、本発明は上記の方法を用いるシステムを提供する。前記システムは、洗剤検出データ、衣類識別データ、衣類荷重を取得し、クラウドサーバにアップロードして分析する洗濯機と、洗濯機からアップロードされたデータ情報を受け付けて分析した後、洗剤投入量を推薦するとともに洗濯機に送信して、洗剤投入を実行させるクラウドサーバ、を含む。
【発明の効果】
【００２３】
本発明の具体的実施形態により提供される技術方案は、以下の有益な効果を有する。
【００２４】
第一に、洗剤成分検出装置により洗剤成分を識別するため、手動で洗剤の種類を識別する場合に比べて識別精度が向上する。また、ＲＦＩＤタグで洗剤の種類を識別する場合と比べて操作が容易となり、より自動化が進む。
【００２５】
第二に、衣類材質識別装置により衣類の素材成分を識別するため、手動で衣類の素材を識別する場合や含水量から衣類の材質を判断する場合と比較して、識別精度が向上する。また、衣類を水に浸してから識別する必要がないため、識別過程にかかる時間がより削減され、操作が更に容易となるとともに、衣類の識別効率が向上する。
【００２６】
第三に、衣類荷重、洗剤の種類／衣類成分情報に基づいて洗剤投入量を推薦するため、推薦がより的確となり、衣類の洗浄にいっそう見合った的確な投入量が得られる。よって、どのように洗剤投入量を明確にすべきか分からないというユーザの悩みが解決されるだけでなく、洗濯の効率がいっそう向上する。結果として、洗浄がより的確となり、投入量の不足や過剰といった事態が効果的に回避されるため、洗濯機による衣類の洗浄・すすぎ効果が高まる。
【００２７】
本発明における具体的実施形態の技術方案についてより明確に説明すべく、以下に、具体的実施形態で使用を要する図面について簡単に述べる。なお、いうまでもなく、以下で記載する図面は本発明の実施例の一部にすぎず、当業者であれば、創造的労働を要することなくこれらの図面から更にその他の図面を得ることが可能である。
【図面の簡単な説明】
【００２８】
【図１】図１は、本発明の実施例で提供する洗剤の投入制御方法のフローチャートである。
【図２】図２は、本発明の実施例１で提供する洗濯機のオフラインモードにおける洗剤の投入制御方法のフローチャートである。
【図３】図３は、本発明の実施例２で提供する洗濯機のオンラインモードにおける洗剤の投入制御方法のフローチャートである。
【図４】図４は、本発明の実施例３で提供する洗濯機である。
【図５】図５は、本発明の実施例４で提供する他の洗濯機である。
【図６】図６は、本発明の実施例５で提供するシステムである。
【発明を実施するための形態】
【００２９】
図１に示すように、本発明は、以下のステップを含む洗剤の投入制御方法を提供する。
【００３０】
ステップ１０１：衣類重量検出装置により現時点での衣類荷重を取得するとともに、洗剤成分検出装置により洗剤成分を検出して洗剤検出データを取得する。
【００３１】
具体的に、洗濯機には衣類重量検出装置が設けられている。ユーザが洗濯待ちの衣類を洗浄槽に投入すると、衣類重量検出装置は洗濯待ちの衣類の重量を自動的に検出するとともに、現時点での洗濯機における衣類荷重を算出可能である。
【００３２】
更に、洗濯機には洗剤成分検出装置も設けられている。ユーザが洗濯機の洗剤ケースに洗剤を投入するか、洗濯機が洗浄プログラムを起動すると、洗剤成分検出装置は洗剤ケース内の洗剤を自動的に検出し、洗剤検出データを取得する。
【００３３】
好ましくは、洗剤成分検出装置を小型スペクトラムアナライザとすればよい。検出原理として、小型スペクトラムアナライザは検出対象物質に近赤外線を照射し、検出対象物質内の活性分子を検出する。続いて、分子振動反射光の光線を分析することで、光線独自の光学的特徴から材料分子の化学成分組成を識別し、特定する。具体的には、検出対象物質から放出された近赤外線についてデータを収集し、濾波器で濾過した後に、相応の増幅器を経由して相応のプロセッサに送信し、処理する。そして、処理したデータを相応のアルゴリズムで分析し、最終的に洗剤検出データとして分析済みのデータを取得する。
【００３４】
通常のスペクトラムアナライザと比較して、小型スペクトラムアナライザにはモジュール化及び高速収集との特徴がある。また、体積が小さく、より柔軟にスペクトルシステムを構築可能なことから、洗剤ケースに直接装着して洗剤ケースと一体的に設けることが可能である。そのため、洗剤成分検出装置のプローブは、洗剤に接触して現時点における洗剤の識別データを取得可能となる。また、洗剤成分検出装置の電源コネクタは、洗濯機の筐体のうち洗剤ケースの装着位置に噛合するよう引き出されて、洗濯機の主電源に接続される。これにより、洗濯機の主電源から洗剤成分検出装置に対し電気が供給される。好ましくは、より正確な検出のために、洗剤の投入が完了するごとに洗剤ケースに対しすすぎ操作を実施する。これにより、プローブ上の残留洗剤がきれいに洗い流されるため、洗濯機による次の検出精度が保証される。
【００３５】
取得した洗剤検出データについては、小型スペクトラムアナライザが洗濯機の端末制御装置に直接送信して分析してもよいし、洗濯機の無線モジュールを介してクラウドにアップロードし、分析してもよい。
【００３６】
好ましくは、当該ステップでは更に、衣類材質識別装置により衣類の素材成分を走査して衣類識別データを取得してもよい。好ましくは、衣類材質識別装置もまた小型スペクトラムアナライザとしてもよい。当該小型スペクトラムアナライザは、検出原理については洗剤検出用の小型スペクトラムアナライザと同様であるが、検出の方式は異なっている。衣類の材質を検出する小型スペクトラムアナライザは、衣類の素材成分を走査識別可能とするものであり、洗濯機と有線又は無線方式で伝送を行うよう、装着位置を洗濯機の制御パネル上としてもよいし、洗濯機の筐体に懸架してもよく、或いは、携帯型デバイスとしてもよい。
【００３７】
ステップ１０２：洗剤検出データを分析し、洗剤検出データに対応する洗剤種別を取得する。
【００３８】
洗剤成分には、表面活性剤、助剤、酵素、融剤、蛍光増白剤、静菌剤等が主に含まれ、洗剤成分の違いによって洗浄効果も異なる。洗剤成分検出装置により洗剤成分を分析することで対応のデータを取得可能であり、データを分析することで当該洗剤の種別が判断される。
【００３９】
洗剤検出データと洗剤種別は対応しており、その対応関係が第１データベースに蓄積されている。第１データベースは、洗濯機及び／又はクラウドに設けられる。
【００４０】
具体的に、洗濯機がオフラインモードの場合、洗剤成分検出装置は洗剤検出データを洗濯機に送信すればよい。洗濯機には第１データベースが設けられているため、洗濯機は洗剤検出データを直接分析して、第１データベースから洗剤検出データに対応する洗剤種別を検索可能である。
【００４１】
また、洗濯機がオンラインモードの場合、洗剤成分検出装置は洗濯機上の無線通信モジュールを介して洗剤検出データをクラウドに送信すればよい。クラウドには第１データベースが設けられているため、クラウドは洗剤検出データを分析して、第１データベースから洗剤検出データに対応する洗剤種別を検索可能である。
【００４２】
好ましくは、当該ステップでは更に、衣類識別データを分析し、衣類識別データに対応する衣類成分情報を取得する。
【００４３】
更に、衣類識別データと衣類成分情報は対応しており、その対応関係が第２データベースに蓄積されている。第２データベースは、洗濯機及び／又はクラウドに設けられる。
【００４４】
具体的に、洗濯機がオフラインモードの場合、衣類材質識別装置は衣類識別データを洗濯機に送信すればよい。洗濯機には第２データベースが設けられているため、洗濯機は衣類識別データを直接分析して、第２データベースから衣類識別データに対応する衣類成分情報を検索可能である。
【００４５】
洗濯機がオンラインモードの場合、衣類材質識別装置は洗濯機上の無線通信モジュールを介して衣類識別データをクラウドに送信すればよい。クラウドには第２データベースが設けられているため、クラウドは衣類識別データを分析して、第２データベースから衣類識別データに対応する衣類成分情報を検索可能である。
【００４６】
ステップ１０３：洗剤種別と衣類荷重に基づき、洗剤投入量を推薦する。
【００４７】
具体的には、洗剤種別ごとに、当該種別の場合の衣類荷重と洗剤投入量との対応関係が予め設定されている。よって、当該洗剤の種別を先に特定し、当該洗剤種別の場合の衣類荷重と洗剤投入量との対応関係を検索すれば、洗濯機で取得した衣類荷重から対応する洗剤投入量を特定可能である。
【００４８】
洗剤種別、衣類荷重及び洗剤投入量は対応しており、その対応関係が第３データベースに蓄積されている。第３データベースは、洗濯機及び／又はクラウドに設けられる。
【００４９】
具体的に、洗濯機がオフラインモードの場合、第３データベースは洗濯機のローカルに設けられる。更に、第３データベースにはオフラインデータテーブルが含まれる。洗濯機は、ローカルに蓄積されているオフラインデータテーブルに基づいて、対応する洗剤種別の場合の衣類荷重に対応付けられている洗剤投入量を検索可能である。
【００５０】
また、洗濯機がオンラインモードの場合、第３データベースはクラウドに設けられる。更に、第３データベースには、洗剤種別、衣類荷重及び洗剤投入量の対応関係に関する大量のデータが蓄積されており、クラウドはビッグデータを利用することで洗剤種別と衣類荷重に対応する洗剤投入量を推薦可能である。
【００５１】
好ましくは、クラウドが現時点の天気情報を取得するとともに、現時点の天気から洗濯に適しているか否かを判断可能としてもよい。また、クラウドが洗濯機の位置から現時点の水の硬度を取得し、水の硬度に基づいて現在選択している洗剤が適切か否かを判断するとともに、洗剤の投入量を明確にしてもよい。また、クラウドが現在位置するコミュニティの電力ピーク状況を取得して、ピーク時を避けて電力を使用するようユーザに提示するようにしてもよい。
【００５２】
好ましくは、当該ステップにおいて、洗剤種別、衣類成分情報及び衣類荷重から洗剤投入量を推薦してもよい。この場合、衣類成分情報ごとに複数の洗剤種別を対応付けておき、各洗剤種別の場合について衣類荷重と洗剤投入量との対応関係を予め設定しておけばよい。
【００５３】
なお、衣類成分情報、洗剤種別、衣類荷重及び洗剤投入量の対応関係は第４データベースに蓄積されている。第４データベースは、洗濯機及び／又はクラウドに設けられる。
【００５４】
具体的に、洗濯機がオフラインモードの場合、第４データベースは洗濯機のローカルに設けられる。更に、第４データベースにはオフラインデータテーブルが含まれる。洗濯機は、ローカルに蓄積されているオフラインデータテーブルに基づいて、衣類成分情報に対応する洗剤種別を検索するとともに、当該洗剤種別の場合の衣類荷重に対応付けられている洗剤投入量を検索可能である。
【００５５】
また、洗濯機がオンラインモードの場合、第４データベースはクラウドに設けられる。更に、第４データベースには、衣類成分情報、洗剤種別、衣類荷重及び洗剤投入量の対応関係に関する大量のデータが蓄積されており、クラウドはビッグデータを利用することで衣類成分情報、洗剤種別及び衣類荷重に対応する洗剤投入量を推薦可能である。
【００５６】
ステップ１０４：洗濯機が洗剤投入装置による投入を制御する。
【００５７】
具体的に、洗濯機又はクラウドから洗剤投入量の数値が底板に送信される。底板は、予め設定されているテーブルに基づいて当該数値を対応する電気信号に変換するとともに、洗剤投入装置が洗剤を的確に投入するよう制御する。
【００５８】
本発明では、洗剤成分検出装置により洗剤成分を識別し、衣類材質識別装置により衣類の素材成分を走査し、且つ、洗濯待ちの衣類を自動計量する。そして、識別結果と衣類荷重から最適な洗剤投入量を推薦し、洗剤投入装置による投入を制御する。これによれば、洗剤の的確な投入が実現され、洗濯の効果が向上するため、投入量の不足や過剰といった事態が回避される。結果、洗濯機による衣類の洗浄・すすぎ効果が向上する。
【００５９】
次に、具体的な実施例及び図面について更に述べる。
【００６０】
実施例１
【００６１】
図２に示すように、本実施例は洗剤の投入制御方法を提供する。当該方法は洗濯機側がオフラインモードの場合に応用されるものであり、以下のステップを含む。
【００６２】
ステップ２０１：衣類重量検出装置が、現時点での衣類荷重を取得して洗濯機に送信する。
【００６３】
具体的に、衣類重量検出装置は洗濯機に装着されており、且つ洗濯機と一体的に設けられている。ユーザが洗濯待ちの衣類を洗浄槽に投入すると、衣類重量検出装置は現時点での衣類荷重を自動的に検出するとともに、具体的な数値を洗濯機に送信可能である。
【００６４】
ステップ２０２：洗剤成分検出装置が洗剤成分を検出し、洗剤検出データを取得して洗濯機に送信する。
【００６５】
具体的に、洗剤成分検出装置は洗剤ケースに設けられており、プローブが洗剤に接触する。ユーザが洗濯機の洗剤ケースに洗剤を投入するか、洗濯機が洗浄プログラムを起動すると、洗剤成分検出装置は洗剤ケース内の洗剤を自動的に検出し、洗剤検出データを取得するとともに、当該洗剤検出データを洗濯機に送信する。
【００６６】
ステップ２０３：衣類材質識別装置が衣類の素材成分を走査し、衣類識別データを取得して洗濯機に送信する。
【００６７】
具体的に、衣類材質識別装置は、洗濯機の制御パネルに設けられるか洗濯機の筐体に懸架されて、有線又は無線方式で洗濯機に接続される。ユーザは、洗浄待ちの衣類を衣類材質識別装置の前方に配置して走査すればよい。衣類材質識別装置は識別によって衣類識別データを取得可能であり、当該衣類識別データを洗濯機に送信する。
【００６８】
本実施例において、上記のステップ２０１，２０２，２０３は並列ステップであり、実行順の前後については特に限定しない。
【００６９】
ステップ２０４：洗濯機が洗剤検出データと衣類識別データを分析し、洗剤検出データに対応する洗剤種別と、衣類識別データに対応する衣類成分情報を取得する。
【００７０】
具体的に、洗濯機には洗剤検出データと洗剤種別との対応関係が蓄積されるとともに、衣類識別データと衣類成分情報との対応関係も蓄積されている。洗濯機がオフラインモードの場合には、ローカルに蓄積されている対応関係テーブルを直接検索することで、洗剤種別と衣類成分情報とを取得可能である。
【００７１】
ステップ２０５：洗濯機が、衣類成分情報、洗剤種別及び衣類荷重に基づいて洗剤投入量を推薦する。
【００７２】
具体的に、洗濯機には、衣類成分情報、洗剤種別、衣類荷重及び洗剤投入量の対応関係が蓄積されている。洗濯機がオフラインモードの場合には、ローカルに蓄積されている対応関係テーブルを直接検索することで、的確な洗剤投入量を取得可能である。
【００７３】
ステップ２０６：洗濯機が洗剤投入装置による投入を制御する。
【００７４】
具体的に、洗濯機は投入量を底板にフィードバックする。底板は、投入量から対応する制御信号を取得するとともに、洗剤投入装置による投入を制御する。
【００７５】
実施例２
【００７６】
図３に示すように、本実施例は洗剤の投入制御方法を提供する。当該方法は洗濯機側がオンラインモードの場合に応用されるものであり、洗濯機は、洗濯機上の通信モジュールを介してクラウドとデータ交換可能である。また、当該方法は以下のステップを含む。
【００７７】
ステップ３０１：衣類重量検出装置が、現時点での衣類荷重を取得してクラウドに送信する。
【００７８】
具体的に、衣類重量検出装置は洗濯機に装着されており、且つ、洗濯機と一体的に設けられている。ユーザが洗濯待ちの衣類を洗浄槽に投入すると、衣類重量検出装置は現時点での衣類荷重を自動的に検出するとともに、具体的な数値をクラウドに送信可能である。
【００７９】
ステップ３０２：洗剤成分検出装置が洗剤成分を検出し、洗剤検出データを取得してクラウドに送信する。
【００８０】
具体的に、洗剤成分検出装置は洗剤ケースに設けられており、プローブが洗剤に接触する。ユーザが洗濯機の洗剤ケースに洗剤を投入するか、洗濯機が洗浄プログラムを起動すると、洗剤成分検出装置は洗剤ケース内の洗剤を自動的に検出し、洗剤検出データを取得するとともに、当該洗剤検出データをクラウドに送信する。
【００８１】
ステップ３０３：衣類材質識別装置が衣類の素材成分を走査し、衣類識別データを取得してクラウドに送信する。
【００８２】
具体的に、衣類材質識別装置は、洗濯機の制御パネルに設けられるか洗濯機の筐体に懸架されて、有線又は無線方式で洗濯機に接続される。ユーザは、洗浄待ちの衣類を衣類材質識別装置の前方に配置して走査すればよい。衣類材質識別装置は識別によって衣類識別データを取得可能であり、当該衣類識別データをクラウドに送信する。
【００８３】
本実施例において、上記のステップ３０１，３０２，３０３は並列ステップであり、実行順の前後については特に限定しない。
【００８４】
ステップ３０４：クラウドが洗剤検出データと衣類識別データを分析し、洗剤検出データに対応する洗剤種別と、衣類識別データに対応する衣類成分情報を取得する。
【００８５】
具体的に、クラウドには洗剤検出データと洗剤種別との対応関係に関する大量のデータが蓄積されるとともに、衣類識別データと衣類成分情報との対応関係に関する大量のデータも蓄積されている。クラウドはビッグデータから対応関係テーブルを検索することで、洗剤種別と衣類成分情報とを取得可能である。
【００８６】
ステップ３０５：クラウドが、衣類成分情報、洗剤種別及び衣類荷重に基づいて洗剤投入量を推薦する。
【００８７】
具体的に、クラウドには、衣類成分情報、洗剤種別、衣類荷重及び洗剤投入量の対応関係に関する大量のデータが蓄積されており、クラウドはビッグデータを利用することで衣類成分情報、洗剤種別及び衣類荷重に対応する洗剤投入量を推薦可能である。
【００８８】
ステップ３０６：クラウドが、洗剤投入量を洗濯機にフィードバックする。
【００８９】
具体的に、クラウドは無線モジュールを介して洗剤投入量を洗濯機の底板にフィードバックする。
【００９０】
ステップ３０７：洗濯機が、洗剤投入装置による投入を制御する。
【００９１】
具体的に、洗濯機の底板は投入量から対応する制御信号を取得するとともに、洗剤投入装置による投入を制御する。
【００９２】
実施例３
【００９３】
図４に示すように、本実施例は洗濯機を提供する。当該洗濯機は洗剤成分検出装置を含み、当該洗剤成分検出装置は、洗剤成分を検出して洗剤検出データを取得可能である。
【００９４】
好ましくは、当該洗剤成分検出装置は小型スペクトラムアナライザである。通常のスペクトラムアナライザと比較して、小型スペクトラムアナライザにはモジュール化及び高速収集との特徴がある。また、体積が小さく、より柔軟にスペクトルシステムを構築可能なことから、洗剤ケースに直接装着して洗剤ケースと一体的に設けることが可能である。そのため、洗剤成分検出装置のプローブは洗剤に接触して現時点における洗剤の識別データを取得可能となる。また、洗剤成分検出装置の電源コネクタは、洗濯機の筐体のうち洗剤ケースの装着位置に噛合するよう引き出されて、洗濯機の主電源に接続される。これにより、洗濯機の主電源から洗剤成分検出装置に対し電気が供給される。好ましくは、より正確な検出のために、洗剤の投入が完了するごとに洗剤ケースに対しすすぎ操作を実施する。これにより、プローブ上の残留洗剤がきれいに洗い流されるため、洗濯機による次の検出精度が保証される。
【００９５】
更に、検出された洗剤検出データについては、洗濯機がオフライン場合には洗濯機のプロセッサに直接送信して処理してもよいし、洗濯機がオンラインの場合には、洗濯機の無線モジュールを介してクラウドに送信して処理してもよい。
【００９６】
衣類重量検出装置は、洗濯機に投入された衣類を自動的に計量し、衣類荷重を取得する。
【００９７】
具体的には、ユーザが洗濯待ちの衣類を洗浄槽に投入すると、衣類重量検出装置は洗濯待ちの衣類の重量を自動的に検出するとともに、現時点での洗濯機における衣類荷重を算出可能である。
【００９８】
更に、検出された衣類荷重については、洗濯機がオフライン場合には洗濯機のプロセッサに直接送信して処理してもよいし、洗濯機がオンラインの場合には、洗濯機の無線モジュールを介してクラウドに送信して処理してもよい。
【００９９】
制御装置は、衣類荷重についての信号と洗剤成分の検出についての信号を受け付ける。そして、受け付けた信号に基づいて洗剤投入量を推薦するとともに、洗剤投入装置による投入を制御する。
【０１００】
好ましくは、洗濯機がオンラインモードの場合、受け付けた信号をクラウドに送信してもよい。この場合、クラウドは受け付けた信号に基づいてビッグデータを利用し、洗剤投入量を推薦するとともに、的確な投入が行われるよう、無線モジュールを介して投入量を洗濯機に送信する。
【０１０１】
洗剤投入装置は、制御装置が指示する投入量に基づいて洗剤の投入を実行する。
【０１０２】
具体的に、洗濯機又はクラウドから洗剤投入量の数値が底板に送信される。底板は、予め設定されているテーブルに基づいて当該数値を対応する電気信号に変換するとともに、洗剤投入装置が洗剤を的確に投入するよう制御する。
【０１０３】
実施例４
【０１０４】
図５に示すように、本実施例は実施例３をベースとしつつ、洗濯機が、衣類の素材成分を検出して衣類識別データを取得する衣類材質識別装置を更に含む、との点において実施例３とは異なる。
【０１０５】
具体的に、衣類材質識別装置は小型スペクトラムアナライザである。当該小型スペクトラムアナライザは、検出原理については洗剤検出用の小型スペクトラムアナライザと同様であるが、検出の方式は異なっている。衣類の材質を検出する小型スペクトラムアナライザは、衣類の素材成分を走査識別可能とするものであり、洗濯機と有線又は無線方式で伝送を行うよう、装着位置を洗濯機の制御パネル上としてもよいし、洗濯機の筐体に懸架してもよく、或いは、携帯型デバイスとしてもよい。
【０１０６】
更に、検出された衣類識別データについては、洗濯機がオフライン場合には洗濯機のプロセッサに直接送信して処理してもよいし、洗濯機がオンラインの場合には、洗濯機の無線モジュールを介してクラウドに送信して処理してもよい。
【０１０７】
また、これに応じて、洗濯機の制御装置が当該衣類識別についての信号を受け付けるとともに、受け付けた信号に基づいて洗剤投入量を推薦してもよい。即ち、衣類成分情報、洗剤種別及び衣類荷重から洗剤投入量を推薦してもよい。
【０１０８】
好ましくは、洗濯機がオンラインモードの場合、受け付けた衣類識別についての信号をクラウドに送信してもよい。この場合、クラウドは受け付けた信号に基づいてビッグデータを利用し、洗剤投入量を推薦するとともに、的確な投入が行われるよう、無線モジュールを介して投入量を洗濯機に送信する。
【０１０９】
実施例５
【０１１０】
図６に示すように、本実施例はシステムを提供する。当該システムは洗濯機とクラウドサーバを含み、洗濯機は、通信モジュールを介してクラウドサーバに接続されてデータ交換を行う。
【０１１１】
洗濯機は、洗剤検出データと衣類荷重を取得可能であり、好ましくは、更に衣類識別データを取得して、クラウドサーバにアップロードし分析する。クラウドサーバは、洗濯機からアップロードされたデータ情報を受け付けて分析した後、洗剤投入量を推薦するとともに、洗濯機に送信して相応量の洗剤投入を実行させる。
【０１１２】
具体的に、洗濯機には、制御装置、通信モジュール、洗剤投入装置、洗剤成分を検出する洗剤成分検出装置、洗濯待ちの衣類を計量する衣類重量検出装置が設けられている。また、好ましくは、衣類の素材成分を検出する衣類材質識別装置を更に含む。洗濯機が検出した洗剤検出データ、衣類荷重及び衣類識別データは、通信モジュールを介してクラウドサーバにアップロードされる。クラウドサーバはこれを分析することで的確な洗剤投入量を取得し、洗濯機の底板に送信する。底板は、予め設けられたテーブルに基づいてこれを対応する電気信号に変換するとともに、洗浄投入装置が洗剤を的確に投入するよう制御する。
【０１１３】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上述した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な補正、同等の変形及び補足は、いずれも本発明の方案の範囲内とされる。
【図１】
2018538087.tif 000003
【図２】
2018538087.tif 000004
【図３】
2018538087.tif 000005
【図４】
2018538087.tif 000006
【図５】
2018538087.tif 000007
【図６】
2018538087.tif 000008
【国際調査報告】
2018538087.tif 000009
2018538087.tif 000010
2018538087.tif 000011
2018538087.tif 000012
2018538087.tif 000013
2018538087.tif 000014